(57)【要約】      （修正有）【課題】両手が空いた状態で傘を使用でき使いやすくする傘取付ベルトを提供する。【解決手段】傘５００を上半身に取り付けるものであり、傘のシャフト５１０に取り付けられる第１のベルト１００と、傘のハンドル５２０に取り付けられる第２のべルト２００を備え、第１のベルトは第１のベルトを環状に連結する第１の連結部材１１０と、第１のベルトに通されたシャフト用ループ部材と、シャフト用ループ部材と第１のベルトの隙間に通されたシャフトを第１のベルトごと挟み込む第１の留め具１４０を有し、第２のベルトは第２のベルトを環状に連結する第２の連結部材２１０と、第２のベルトに通された２つのハンドル用ループ部材と、ハンドル用ループ部材と第２のベルトの隙間に通されたハンドルを第２のベルトごと挟み込む２つの第２の留め具２４０を有し、第１のベルトは胸部に、第２のベルトは腹部に巻き付ける。【選択図】図１
0003228370.tif 000002
【実用新案登録請求の範囲】
【請求項１】
傘を上半身に取り付ける傘取付ベルトにおいて、
傘のシャフトに取り付けられる第１のベルトと、傘のハンドルに取り付けられる第２のべルトとを具備しており、前記第１のベルトは、第１のベルトを環状に連結すべく、その両端に設けられた第１の連結部材と、第１のベルトに通された１つの略日の字状のシャフト用ループ部材と、このシャフト用ループ部材と第１のベルトとの間の隙間に挿通された傘のシャフトを第１のベルトごと挟み込む第１の留め具とを有しており、前記第２のベルトは、第２のベルトを環状に連結すべく、その両端に設けられた第２の連結部材と、第２のベルトに通された２つの略日の字状のハンドル用ループ部材と、このハンドル用ループ部材と第２のベルトとの間の隙間に挿通された傘のハンドルを第２のベルトごと挟み込む２つの第２の留め具とを有しており、第１のベルトは使用者の胸部に、第２のベルトは使用者の腹部にそれぞれ巻き付けることを特徴とする傘取付ベルト。
【請求項２】
前記第１の留め具と第２の留め具とは、ダブルクリップであることを特徴とする請求項１記載の傘取付ベルト。
【請求項３】
前記第１の連結部材及び第２の連結部材は、第１及び第２のベルトの一端に取り付けられた合成樹脂製のメス型バックルと、第１のベルト及び第２のベルトの他端に取り付けられた合成樹脂製のオス型バックルとから構成されていることを特徴とする請求項１又は２記載の傘取付ベルト。
【考案の詳細な説明】
【技術分野】
【０００１】
本考案は、傘を上半身に取り付けることで、両手が空いた状態で傘をさすことができる傘取付ベルトに関する。
【背景技術】
【０００２】
傘は少なくとも片方の手で保持することでさすようになっている。
このため、荷物がある場合には、片方の手で傘をもう一方の手で荷物を持つようになる。荷物が重い場合や多く片手が疲れた場合には、傘と荷物とを交互に持ち替えることになる。
しかし、持ち替えたとしても腕を休めることができない。また、持ち替えの際に荷物を落としてしまうこともある。
【０００３】
そこで、両手が空いた状態で傘をさすことができるものとして特開２００６−０１５０９０号公報記載のアンブレラ楽々バンドが考案された。
このアンブレラ楽々バンドは『強力ナイロンベルトを胴ベルトに、斜め吊りベルトを接合し、真鍮又はステンレスのリングとハート形、蝶番組合わせバンドに、洋傘を上半身に装着して、雨天外出時に、シンプルで両手が使えることを特徴とする、アンブレラ楽々バンド』である。
【０００４】
【特許文献１】特開２００６−０１５０９０号公報
【考案の開示】
【考案が解決しようとする課題】
【０００５】
このアンブレラ楽々ハンドは、傘の握り柄を固定するためのねじ込み式の固定リング、傘軸ハート型固定蝶番のように、ねじ込んだり挟み込んだりすることで傘を固定する部材を使用しているため、その取り扱いが分かりにくく、非力な老人等には使いにくいという問題点がある。
【０００６】
本考案は、上記事情に鑑みて創案されたもので、両手が空いた状態で傘を使用することができ、しかも誰にでも使いやすい傘取付ベルトを提供することを目的としている。
【課題を解決するための手段】
【０００７】
本考案に係る傘取付ベルトは、傘を上半身に取り付ける傘取付ベルトであって、傘のシャフトに取り付けられる第１のベルトと、傘のハンドルに取り付けられる第２のべルトとを具備しており、前記第１のベルトは、第１のベルトを環状に連結すべく、その両端に設けられた第１の連結部材と、第１のベルトに通された１つの略日の字状のシャフト用ループ部材と、このシャフト用ループ部材と第１のベルトとの間の隙間に挿通された傘のシャフトを第１のベルトごと挟み込む第１の留め具とを有しており、前記第２のベルトは、第２のベルトを環状に連結すべく、その両端に設けられた第２の連結部材と、第２のベルトに通された２つの略日の字状のハンドル用ループ部材と、このハンドル用ループ部材と第２のベルトとの間の隙間に挿通された傘のハンドルを第２のベルトごと挟み込む２つの第２の留め具とを有しており、第１のベルトは使用者の胸部に、第２のベルトは使用者の腹部にそれぞれ巻き付けるように構成されている。
【考案の効果】
【０００８】
本考案に係る傘取付ベルトは、使用者の胸部に巻き付けた第１のベルトとシャフト用ループ部材との間の隙間に傘のシャフトを、使用者の腹部に巻き付けた第２のベルトとハンドル用ループ部材との間の隙間に傘のハンドルをそれぞれ挿通し、その状態で第１の留め具と第２の留め具とでシャフトとハンドルとを挟み込むことで傘を使用者の上半身に取り付けるので、使用者の両手が空いた状態で傘を使用することができる。
しかも、第１の留め具と第２の留め具との取扱いが簡単なダブルクリップを使用すると、非力な老人等であっても扱いやすいというメリットがある。
【図面の簡単な説明】
【０００９】
【図１】本考案の実施の形態に係る傘取付ベルトの使用状態を示す概略的説明図である。
【図２】本考案の実施の形態に係る傘取付ベルトの第１及び第２の連結部材を構成するメス型バックルとオス型バックルの概略的斜視図である。
【図３】本考案の実施の形態に係る傘取付ベルトのシャフト側ループ部材及びハンドル側ループ部材の概略的平面図である。
【図４】本考案の実施の形態に係る傘取付ベルトの第１のベルト及び第のベルトとシャフト用ループ部材及びハンドル用ループ部材との関係を示す概略的斜視図である。
【図５】本考案の実施の形態に係る傘取付ベルトのシャフト用ループ部材及びハンドル用ループ部材と第１の留め具及び第２の留め具との関係を示す概略的斜視図である。
【考案を実施するための形態】
【００１０】
本考案の実施の形態に係る傘取付ベルト１０００は、傘５００を上半身に取り付ける傘取付ベルトであって、傘５００のシャフト５１０に取り付けられる第１のベルト１００と、傘５００のハンドル５２０に取り付けられる第２のべルト２００とを備えており、前記第１のベルト１００は、第１のベルト１００を環状に連結すべく、その両端に設けられた第１の連結部材１１０と、第１のベルト１００に通された１つの略日の字状のシャフト用ループ部材１２０と、このシャフト用ループ部材１２０と第１のベルト１００との間の隙間１３０に挿通された傘５００のシャフト５１０を第１のベルト１００ごと挟み込む第１の留め具１４０とを有しており、前記第２のベルト２００は、第２のベルト２００を環状に連結すべく、その両端に設けられた第２の連結部材２１０と、第２のベルト２００に通された２つの略日の字状のハンドル用ループ部材２２０と、このハンドル用ループ部材２２０と第２のベルト２００との間の隙間２３０に挿通された傘５００のハンドル５２０を第２のベルト２００ごと挟み込む２つの第２の留め具２４０とを有しており、第１のベルト１００は使用者Ｈの胸部に、第２のベルト２００は使用者Ｈの腹部にそれぞれ巻き付けるようになっている。
【００１１】
前記第１のベルト１００は、幅寸法約２ｃｍのナイロン製であって、一般的にナイロン製平ベルトと称されるものである。
この第１のべルト１００は、一般的な体格の成人男性に対応することができるような長さ、１００ｃｍ〜１３０ｃｍの長さに設定されている。
【００１２】
かかる第１のベルト１００の両端に設けられる第１の連結部材１１０は、第１のベルト１００の一端に取り付けられた合成樹脂製のメス型バックル１１１と、第１のベルト１００の他端に取り付けられた合成樹脂製のオス型バックル１１２とから構成されている。
メス型バックル１１１は、後述するオス型バックル１１２の挿入係止部１１２Ａに対応した受容部１１１Ａと、この受容部１１１Ａの後方に連設されたメス側連結孔１１１Ｂとを有している。
また、第１のベルト１００の他端に取り付けられるオス型バックル１１２は、前記メス型バックル１１１の受容部１１１Ａに対応した挿入係止部１１２Ａと、この挿入係止部１１２Ａに連設された連結ループ部１１２Ｂとを有している。
【００１３】
前記メス型バックル１１１の受容部１１１Ａは、後述するオス型バックル１１２の挿入係止部１１２Ａが挿入される挿入孔１１１Ａ１と、挿入係止部１１２Ａの挿入方向に直交した方向、すなわちサイド側に開設された係止孔１１１Ａ２とを有している。
【００１４】
このメス型バックル１１１のメス側連結孔１１１Ｂは、幅寸法が第１のベルト１００の幅寸法より若干大きく設定されている。このメス側連結孔１１１Ｂに第１のベルト１００の一端を挿入して折り返し、折り返した部分を第１のベルト１００自体に縫製することで、第１のベルト１００の一端にメス型バックル１１１を取り付けるようになっている。
【００１５】
一方、前記オス型バックル１１２の挿入係止部１１２Ａは、中央の中央棒体１１２Ａ１と、この中央棒体１１２Ａ１の左右に位置する一対の係止爪部１１２Ａ２とを有している。
前記中央棒体１１２Ａ１は、オス型バックル１１２の挿入係止部１１２Ａをメス型バックル１１１の受容部１１１Ａの挿入孔１１１Ａ１に挿入する際の方向をガイドするものである。
また、前記係止爪部１１２Ａ２は、基端側が先端側より細く形成されている。このため、係止爪部１１２Ａ２は基端側が歪むことによって先端側が変位できるようになっている。
【００１６】
また、このオス型バックル１１２の挿入係止部１１２Ａの後方に形成された連結ループ部１１２Ｂは、平行に開設された２つのオス側連結孔１１２Ｂ１を有しているので、略日の字形状に形成されている。
この連結ループ部１１２Ｂの２つのオス側連結孔１１２Ｂ１のうち、挿入係止部１１２Ａ側のオス側連結孔１１２Ｂ１→もう一方のオス側連結孔１１２Ｂ１の順に第１のベルト１００の他端を挿通させ、もう一方のオス側連結孔１１２Ｂ１を出た箇所でオス側連結孔１１２Ｂ１より大きくなるように第１のベルト１００の他端を縫製することで、オス型バックル１１２を第１のベルト１００の他端に取り付ける。
【００１７】
上述のようにして第１のベルト１００の両端に取り付けられたメス型バックル１１１とオス型バックル１１２とからなる第１の連結部材１１０は、メス型バックル１１１の受容部１１１Ａにオス型バックル１１２の挿入係止部１１２Ａを挿入し、挿入係止部１１２Ａを構成する係止爪部１１２Ａ２の先端側の係止部１１２Ａ３が、メス型バックル１１１の受容部１１１Ａのサイド側に開設された係止孔１１１Ａ２に嵌まり込むことで連結される。
なお、オス型バックル１１２とメス型バックル１１１との連結を解除する際には、係止孔１１１Ａ２から露出している係止爪部１１２Ａ２の先端側の係止部１１２Ａ３を内側に押し込むようにする。
【００１８】
この第１のベルト１００には略日の字状のシャフト用ループ部材１２０が１つだけ通されている。
前記シャフト用ループ部材１２０は、図３に示すように、第１のベルト１００の幅寸法に対応した長方形状の長孔１２１が２つ平行に開設されている。図４に示すように、このシャフト用ループ部材１２０の２つの長孔１２１のうち一方の長孔１２１に通した後、もう一方の長孔１２１に通す。これによってシャフト用ループ部材１２０と第１のベルト１００との間に生じた隙間１３０が、傘５００のシャフト５１０が挿通される部分となる。
【００１９】
前記隙間１３０に挿通された傘５００のシャフト５１０は、第１のベルト１００ごと第１の留め具１４０によって挟み込まれる。
この第１の留め具１４０は、金属板を略三角形状に折曲形成したクリップ本体１４１と、このクリップ本体１４１の開放端を開放するための一対の摘み手１４２とを有するいわゆるダブルクリップと称されるものである。
【００２０】
第２のベルト２００は、第１のベルト１００とほぼ同様の構成であるが、シャフト用ループ部材１２０に相当するハンドル用ループ部材２２０が２つある点、ハンドル用ループ部材２２０と第２のベルト２００との間の隙間２３０に挿通された傘５００のハンドル５２０を第２のベルト２００ごと挟み込む第２の留め具２４０が２つある点のみ相違する。
【００２１】
次に、上述したような構成の傘取付ベルト１０００の使用手順について説明する。
第１のベルト１００とシャフト用ループ部材１２０との間の隙間１３０に傘５００のシャフト５１０を通通し、シャフト５１０の中腹部にまでスライドさせる。
また、第２のベルト２００と２つのハンドル用ループ部材２２０との間の２つの隙間２３０に傘５００の略Ｊ字形状のハンドル５２０を挿通する。一方の隙間２３０はシャフト５１０から真っ直ぐに垂下する部分に、他方の隙間２３０はシャフト５１０に対して平行になった部分、すなわちＪ字の跳ね上がり部分にそれぞれ挿通する。
なお、この作業は傘５００を拡げた状態で行なう。
【００２２】
傘５００のシャフト５１０とつながった第１のベルト１００を使用者Ｈの胸部に巻き付けて第１の連結部材１１０を連結し、傘５００のハンドル５２０とつながった第２のベルト２００を使用者Ｈの腹部にそれぞれ巻き付けて第２の連結部材２１０を連結する。
この状態で第１のベルト１００及び第２のベルト２００のそれぞれの巻き付け位置と長さとを調整して、傘５００が適当な位置になるように調整する。
【００２３】
傘５００の位置が決定したならば、シャフト用ループ部材１２０と第１のベルト１００との隙間１３０に挿通されたシャフト５１０を第１のベルト１００ごと第１の留め具１４０で挟み込む。
また、ハンドル用ループ部材２２０と第２のベルト２００との２つの隙間２３０に挿通されたハンドル５２０を第２のベルト２００ごと第２の留め具２４０で挟み込む。
これによって傘５００は、図１に示すように、シャフト５１０及びハンドル５２０が使用者Ｈの上半身に密着した状態で取り付けられることになる。
当然この状態では、使用者Ｈの両手は空いた状態となっている。
【００２４】
なお、上述した実施の形態では、第１の留め具１４０、第２の決め具２４０はいわゆるダブルクリップであるとしたが、本考案がこれに限定されるものではない。例えば、円筒の一部を軸方向に切り欠いたいわゆるＣ字管とし、切り欠かれた部分からシャフト５１０、ハンドル５２０を圧入するような構成にすることも可能である。
【符号の説明】
【００２５】
１００    第１のベルト
１１０    第１の連結部材
１２０    シャフト用ループ部材
１３０    隙間（第１のベルトとシャフト用ループ部材との間の）
１４０    第１の留め具
２００    第２のベルト
２１０    第２の連結部材
２２０    ハンドル用ループ部材
２３０    隙間（第２のベルトとハンドル用ループ部材との間の）
２４０    第２の留め具                                                          ５００    傘
５１０    シャフト
５２０    ハンドル
１０００  傘取付ベルト
Ｈ        使用者
【図１】
0003228370.tif 000003
【図２】
0003228370.tif 000004
【図３】
0003228370.tif 000005
【図４】
0003228370.tif 000006
【図５】
0003228370.tif 000007